(57)【要約】【課題】複数の表示装置を用いて画像を表示する表示システムにおいて、フレームメモリの使用量を抑えつつ、簡易な回路構成により各表示装置間の画像ズレを防ぐ。【解決手段】表示システム１００において、表示装置１０ａは、分割画像ａを生成する信号処理部１１ａと、分割画像ａを表示する表示部１５ａと、を備え、表示装置１０ｄは、分割画像ｄを生成する信号処理部１１ｄと、分割画像ｄを表示する表示部１５ｄと、を備え、信号処理部１１ａは、走査方向を順方向に設定し、信号処理部１１ｄは、走査方向を逆方向に設定し、信号処理部１１ａは、さらに、表示装置１０ａが分割画像ａを表示するタイミングが、表示装置１０ｄが分割画像ｄを表示するタイミングに合うように、遅延時間を設定する。【選択図】図４
2019211632.tif 000002
【特許請求の範囲】
【請求項１】
複数の表示装置のそれぞれに１フレームに対応する映像信号が入力され、前記複数の表示装置のそれぞれが画像を表示することにより、前記映像信号に対応する前記１フレームの画像を表示する表示システムであって、
前記複数の表示装置は、データ信号線が延在する第１方向に隣接して配置された第１表示装置と第２表示装置とを含み、
前記第１表示装置は、前記１フレームに対応する前記映像信号のうち第１伝送期間の映像信号に基づいて前記画像の一部である第１分割画像を生成する第１信号処理部と、生成された前記第１分割画像を表示する第１表示部と、を備え、
前記第２表示装置は、前記１フレームに対応する前記映像信号のうち前記第１伝送期間より後の第２伝送期間の映像信号に基づいて前記画像の一部である第２分割画像を生成する第２信号処理部と、生成された前記第２分割画像を表示する第２表示部と、を備え、
前記第１信号処理部は、前記第１表示装置に配置されるゲート信号線の走査方向を第１走査方向に設定し、
前記第２信号処理部は、前記第２表示装置に配置されるゲート信号線の走査方向を、前記第１走査方向とは反対の第２走査方向に設定し、
前記第１信号処理部は、さらに、前記第１表示装置が前記第１分割画像を表示するタイミングが、前記第２表示装置が前記第２分割画像を表示するタイミングに合うように、第１遅延時間を設定する、
表示システム。
【請求項２】
前記第１遅延時間は、前記第１表示装置が前記映像信号を受信してから前記第１分割画像の表示を開始するまでの時間である、
請求項１に記載の表示システム。
【請求項３】
前記複数の表示装置は、前記第１方向に並んで配置されたＭ台の表示装置を含み、
前記第１方向のＮ番目に配置された前記表示装置の信号処理部は、前記第１遅延時間に含まれる、｛（Ｍ−Ｎ）／Ｍ｝フレーム分の遅延時間を設定する、
請求項１又は請求項２に記載の表示システム。
【請求項４】
前記第２表示装置が前記第１表示装置の下に隣接して配置される場合において、
前記第１走査方向が下から上に向かう方向に設定され、前記第２走査方向が上から下に向かう方向に設定される場合に、前記第１信号処理部は、さらに、前記第１分割画像の上下方向を反転する画像反転処理を行う一方、
前記第１走査方向が上から下に向かう方向に設定され、前記第２走査方向が下から上に向かう方向に設定される場合に、前記第２信号処理部は、さらに、前記第２分割画像の上下方向を反転させる画像反転処理を行う、
請求項３に記載の表示システム。
【請求項５】
前記第２表示装置が前記第１表示装置の右に隣接して配置される場合において、
前記第１走査方向が右から左に向かう方向に設定され、前記第２走査方向が左から右に向かう方向に設定される場合に、前記第１信号処理部は、さらに、前記第１分割画像の左右方向を反転する画像反転処理を行う一方、
前記第１走査方向が左から右に向かう方向に設定され、前記第２走査方向が右から左に向かう方向に設定される場合に、前記第２信号処理部は、さらに、前記第２分割画像の左右方向を反転させる画像反転処理を行う、
請求項３に記載の表示システム。
【請求項６】
前記第１信号処理部が前記画像反転処理を行う場合、前記第２信号処理部は、前記第１遅延時間に含まれる、１フレーム分の遅延時間を設定する一方、
前記第２信号処理部が前記画像反転処理を行う場合、前記第１信号処理部は、前記第１遅延時間に含まれる、１フレーム分の遅延時間を設定する、
請求項４又は請求項５に記載の表示システム。
【請求項７】
前記第１信号処理部は、前記第１分割画像を拡大して表示するための処理を行い、前記第２信号処理部は、前記第２分割画像を拡大して表示するための処理を行う、
請求項１から請求項６の何れか１項に記載の表示システム。
【請求項８】
前記映像信号を出力する映像出力装置をさらに備え、
前記複数の表示装置は、前記映像信号が上流から下流に送信されるようにループ状にデイジーチェーン接続されている、
請求項１から請求項７の何れか１項に記載の表示システム。
【請求項９】
複数の表示装置のそれぞれに１フレームに対応する映像信号が入力され、前記複数の表示装置のそれぞれが画像を表示することにより、前記映像信号に対応する前記１フレームの画像を表示する表示方法であって、
前記複数の表示装置は、データ信号線が延在する第１方向に隣接して配置された第１表示装置と第２表示装置とを含み、
前記第１表示装置は、前記１フレームに対応する前記映像信号のうち第１伝送期間の映像信号に基づいて前記画像の一部である第１分割画像を生成する第１信号処理ステップと、生成された前記第１分割画像を表示する第１表示ステップと、を含み、
前記第２表示装置は、前記１フレームに対応する前記映像信号のうち前記第１伝送期間より後の第２伝送期間の映像信号に基づいて前記画像の一部である第２分割画像を生成する第２信号処理ステップと、生成された前記第２分割画像を表示する第２表示ステップと、を含み、
前記第１信号処理ステップでは、前記第１表示装置に配置されるゲート信号線の走査方向を第１走査方向に設定し、
前記第２信号処理ステップでは、前記第２表示装置に配置されるゲート信号線の走査方向を、前記第１走査方向とは反対の第２走査方向に設定し、
前記第１信号処理ステップでは、さらに、前記第１表示装置が前記第１分割画像を表示するタイミングが、前記第２表示装置が前記第２分割画像を表示するタイミングに合うように、第１遅延時間を設定する、
表示方法。
【発明の詳細な説明】
【技術分野】
【０００１】
本発明は、複数の表示装置を用いて画像を表示する表示システム及び表示方法に関する。
【背景技術】
【０００２】
従来、行方向及び列方向に配置された複数の表示装置（ディスプレイ）を用いて画像を表示する表示システム（マルチディスプレイシステムともいう。）が知られている。前記表示システムにおいて、各表示装置で表示される画像同士のズレ（画像ズレ）が生じないように、各表示装置の走査タイミングを調整したり、各表示装置の走査方向を調整したりする技術が提案されている。
【０００３】
例えば特許文献１には、マルチディスプレイシステムを制御する制御用ＰＣが、１枚（１フレーム）の画像から、１行おきに走査線の走査方向の上下が切り替わるように複数行に配置された複数のディスプレイのそれぞれに表示するための複数の分割画像を生成し、各表示用ＰＣが、生成された複数の分割画像を各ディスプレイに表示する技術が開示されている。また特許文献１には、走査方向が逆転（逆スキャン）する画像に対して、当該画像を１８０度回転させる処理を行うことが開示されている。
【先行技術文献】
【特許文献】
【０００４】
【特許文献１】特開２０１３−１１７６０１号公報
【発明の概要】
【発明が解決しようとする課題】
【０００５】
前記従来の技術では、制御用ＰＣが、映像信号から各ディスプレイで表示する画像（分割画像）を生成し、生成した分割画像を各ディスプレイに送信する構成である。このため、制御用ＰＣにおいて、フレームメモリの使用量が増大するとともに、回路構成が複雑化する問題が生じる。
【０００６】
本発明の目的は、複数の表示装置を用いて画像を表示する表示システムにおいて、フレームメモリの使用量を抑えつつ、簡易な回路構成により各表示装置間の画像ズレを防ぐことが可能な表示システム及び表示方法を提供することにある。
【課題を解決するための手段】
【０００７】
本発明の一の態様に係る表示システムは、複数の表示装置のそれぞれに１フレームに対応する映像信号が入力され、前記複数の表示装置のそれぞれが画像を表示することにより、前記映像信号に対応する前記１フレームの画像を表示する表示システムであって、前記複数の表示装置は、データ信号線が延在する第１方向に隣接して配置された第１表示装置と第２表示装置とを含み、前記第１表示装置は、前記１フレームに対応する前記映像信号のうち第１伝送期間の映像信号に基づいて前記画像の一部である第１分割画像を生成する第１信号処理部と、生成された前記第１分割画像を表示する第１表示部と、を備え、前記第２表示装置は、前記１フレームに対応する前記映像信号のうち前記第１伝送期間より後の第２伝送期間の映像信号に基づいて前記画像の一部である第２分割画像を生成する第２信号処理部と、生成された前記第２分割画像を表示する第２表示部と、を備え、前記第１信号処理部は、前記第１表示装置に配置されるゲート信号線の走査方向を第１走査方向に設定し、前記第２信号処理部は、前記第２表示装置に配置されるゲート信号線の走査方向を、前記第１走査方向とは反対の第２走査方向に設定し、前記第１信号処理部は、さらに、前記第１表示装置が前記第１分割画像を表示するタイミングが、前記第２表示装置が前記第２分割画像を表示するタイミングに合うように、第１遅延時間を設定する。
【０００８】
本発明の他の態様に係る表示方法は、複数の表示装置のそれぞれに１フレームに対応する映像信号が入力され、前記複数の表示装置のそれぞれが画像を表示することにより、前記映像信号に対応する前記１フレームの画像を表示する表示方法であって、前記複数の表示装置は、データ信号線が延在する第１方向に隣接して配置された第１表示装置と第２表示装置とを含み、前記第１表示装置は、前記１フレームに対応する前記映像信号のうち第１伝送期間の映像信号に基づいて前記画像の一部である第１分割画像を生成する第１信号処理ステップと、生成された前記第１分割画像を表示する第１表示ステップと、を含み、前記第２表示装置は、前記１フレームに対応する前記映像信号のうち前記第１伝送期間より後の第２伝送期間の映像信号に基づいて前記画像の一部である第２分割画像を生成する第２信号処理ステップと、生成された前記第２分割画像を表示する第２表示ステップと、を含み、前記第１信号処理ステップでは、前記第１表示装置に配置されるゲート信号線の走査方向を第１走査方向に設定し、前記第２信号処理ステップでは、前記第２表示装置に配置されるゲート信号線の走査方向を、前記第１走査方向とは反対の第２走査方向に設定し、前記第１信号処理ステッでプは、さらに、前記第１表示装置が前記第１分割画像を表示するタイミングが、前記第２表示装置が前記第２分割画像を表示するタイミングに合うように、第１遅延時間を設定する。
【発明の効果】
【０００９】
本発明によれば、複数の表示装置を用いて画像を表示する表示システムにおいて、フレームメモリの使用量を抑えつつ、簡易な回路構成により各表示装置間の画像ズレを防ぐことができる。
【図面の簡単な説明】
【００１０】
【図１】図１は、本発明の実施形態に係る表示システムの概略構成を示す図である。
【図２】図２は、本発明の実施形態に係る表示装置に配置されるデータ信号線及びゲート信号線を示す図である。
【図３】図３は、本発明の実施形態に係る表示装置における走査方向を模式的に示す図である。
【図４】図４は、本発明の実施形態に係る表示システムの具体的構成を示すブロック図である。
【図５】図５は、本発明の実施形態に係る表示装置における遅延時間設定処理の手順の一例を説明するためのフローチャートである。
【図６】図６は、本発明の実施形態に係る表示システムにおいて表示される画像の一例を示す図である。
【図７】図７（ａ）は比較例に係る表示システムにおいて表示される画像の一例を示す図であり、図７（ｂ）及び図７（ｃ）は本発明の実施形態に係る表示システムにおいて表示される画像の一例を示す図である。
【図８】図８は、本発明の実施形態に係る表示システムの表示面に画像が表示されるまでの処理の流れを模式的に示す図である。
【図９】図９は、本発明の実施形態に係る表示装置における表示タイミングを示すタイミングチャートである。
【図１０】図１０は、本発明の実施形態に係る表示システムの他の構成を示す図である。
【図１１】図１１は、本発明の実施形態に係る表示システムの他の構成を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
図１は、本発明の実施形態に係る表示システム１００の概略構成を示す図である。
【００１３】
表示システム１００は、複数の表示装置１０と、映像出力装置２００とを含んで構成されている。複数の表示装置１０は、行方向及び列方向に並んで配置される。複数の表示装置１０は、映像信号Ｄｖが上流から下流に送信されるようにループ状にデイジーチェーン接続されている（図２参照）。図１では、一例として、４台の表示装置１０ａ、１０ｂ、１０ｃ、１０ｄを示している。表示装置１０の台数は限定されない。以下では、表示システム１００が、４台の表示装置１０ａ、１０ｂ、１０ｃ、１０ｄで構成されているものとして説明する。
【００１４】
表示システム１００の表示面１１０を座標平面とした場合、表示装置１０ａは、（行，列）＝（１，１）に配置され、表示装置１０ｂは、（行，列）＝（１，２）に配置され、表示装置１０ｃは、（行，列）＝（２，２）に配置され、表示装置１０ｄは、（行，列）＝（２，１）に配置される。図２には、表示装置１０ａ、１０ｂ、１０ｃ、１０ｄのそれぞれに配置されるデータ信号線ＤＬ（ソースライン）及びゲート信号線ＧＬ（走査信号線）を示している。表示装置１０ａ、１０ｂ、１０ｃ、１０ｄのそれぞれには、第１方向（ここでは、列方向）に延在する複数のデータ信号線ＤＬ、第２方向（ここでは、行方向）に延在する複数のゲート信号線ＧＬが配置される。また表示装置１０ａ、１０ｂ、１０ｃ、１０ｄのそれぞれには、各データ信号線ＤＬ及び各ゲート信号線ＧＬの交差部近傍に配置される複数の薄膜トランジスタ（ＴＦＴ）、画素電極、共通電極（コモン電極）、液晶層など（何れも不図示）が含まれる。
【００１５】
映像出力装置２００は、例えばパーソナルコンピュータ、テレビジョン放送受信装置、又は画像再生装置などによって構成される。映像出力装置２００は、表示面１１０に表示させる画像を映像信号Ｄｖとして出力する。
【００１６】
表示システム１００は、映像信号Ｄｖに対応する各フレームの画像を、４台の表示装置１０ａ、１０ｂ、１０ｃ、１０ｄそれぞれの表示部で構成される表示面１１０に表示する。例えば、１つのフレームの画像を上下左右の領域に４分割した場合、表示装置１０ａは、左上の分割画像を表示面１１０の左上の領域（１，１）に表示し、表示装置１０ｂは、右上の分割画像を表示面１１０の右上の領域（１，２）に表示し、表示装置１０ｃは、右下の分割画像を表示面１１０の右下の領域（２，２）に表示し、表示装置１０ｄは、左下の分割画像を表示面１１０の左下の領域（２，１）に表示する。各分割画像は、解像度が同一であってもよいし異なっていてもよい。
【００１７】
また表示システム１００は、表示装置毎にゲート信号線ＧＬの走査方向（スキャン方向）を設定することが可能となっている。図３は、表示装置１０ａ、１０ｂ、１０ｃ、１０ｄそれぞれの走査方向の一例を模式的に示す図である。図３に示す例の場合、表示装置１０ａ、１０ｂでは、上から下に向かう順方向に設定され、表示装置１０ｃ、１０ｄでは、下から上に向かう逆方向に設定されている。
【００１８】
なお、上側（左上及び右上）の分割画像（本発明の第１分割画像の一例）は、例えば、１フレームに対応する映像信号Ｄｖのうち第１伝送期間（例えば前半期間）の映像信号に対応する画像であり、下側（左下及び右下）の分割画像（本発明の第２分割画像の一例）は、前記１フレームに対応する映像信号Ｄｖのうち第１伝送期間より後の第２伝送期間（例えば後半期間）の映像信号に対応する画像である。
【００１９】
図４は、本発明の実施形態に係る表示システム１００の具体的構成を示すブロック図である。表示装置１０ａ、１０ｂ、１０ｃ、１０ｄは、映像信号Ｄｖが上流から下流に送信されるようにループ状にデイジーチェーン接続されている。
【００２０】
表示装置１０ａ（本発明の第１表示装置の一例）は、信号処理部１１ａ（本発明の第１信号処理部の一例）、フレームメモリ１２ａ、記憶部１３ａ、駆動制御部１４ａ、及び表示部１５ａ（本発明の第１表示部の一例）を含んでいる。表示装置１０ａの入力端子Ｔｉａには、映像出力装置２００から出力される映像信号Ｄｖが入力される。
【００２１】
映像出力装置２００は、表示装置１０ａ、１０ｂ、１０ｃ、１０ｄに表示させる画像（フレーム画像）を映像信号Ｄｖとして、表示装置１０ａに送信する。図４では、映像出力装置２００が、第１フレームＦ１の画像に対応する映像信号Ｄｖを示している。図４において、第１フレームＦ１の画像に付した符号ａ〜ｄはそれぞれ、画像の一部（分割画像）を示している。分割画像ａは、表示装置１０ａで表示される画像を示し、分割画像ｂは、表示装置１０ｂで表示される画像を示し、分割画像ｃは、表示装置１０ｃで表示される画像を示し、分割画像ｄは、表示装置１０ｄで表示される画像を示している。
【００２２】
映像出力装置２００から表示装置１０ａに入力された映像信号Ｄｖは、信号処理部１１ａに入力されるとともに、表示装置１０ａの出力端子Ｔｏａに転送される。
【００２３】
信号処理部１１ａは、映像信号Ｄｖをフレームメモリ１２ａに記憶する。具体的には、信号処理部１１ａは、映像出力装置２００から受信する映像信号Ｄｖを順次、フレームメモリ１２ａに転送する。フレームメモリ１２ａには、１フレーム分の映像信号Ｄｖ（入力画像データ）が記憶される。
【００２４】
また、信号処理部１１ａは、前記入力画像データに対して各種の信号処理を実行する。具体的には、信号処理部１１ａは、フレームメモリ１２ａの前記入力画像データから、表示装置１０ａが表示する分割画像ａに対応するデータ（分割画像データ）を切り取って、当該分割画像データに後述の各信号処理を施して、画像データＤａを生成する。
【００２５】
例えば、信号処理部１１ａは、前記分割画像データに対して、表示装置１０ａが表示する分割画像ａの上下方向を反転するための処理（画像反転処理）を行う。具体的には、信号処理部１１ａは、表示装置１０ａにおけるゲート信号線ＧＬの走査方向（本発明の第１走査方向の一例）を下から上に向かう逆方向に設定した場合に、前記画像反転処理を行う。例えば、信号処理部１１ａは、走査方向を逆方向に設定した場合、フレームメモリ１２ａから前記分割画像データを読み出す際の読み出し方向を逆転させる。信号処理部１１ａは、前記画像反転処理を施して、画像データＤａを生成する。なお、表示システム１００のユーザは、設定画面において、走査方向（順方向又は逆方向）を設定するための操作を行うことが可能となっている。
【００２６】
また例えば、信号処理部１１ａは、前記分割画像データに対して、分割画像ａを拡大表示（エンラージ表示）するための処理（エンラージ処理）を行う。具体的には、信号処理部１１ａは、ユーザによりエンラージ表示の機能を有効にする設定が行われた場合に、前記エンラージ処理を行う。信号処理部１１ａは、前記エンラージ処理を施して、画像データＤａを生成する。なお、表示システム１００のユーザは、設定画面において、エンラージ表示の機能を有効又は無効にする操作を行うことが可能となっている。前記エンラージ表示の機能の設定内容は、全ての表示装置１０ａ、１０ｂ、１０ｃ、１０ｄに反映される。すなわち、ユーザがエンラージ表示の機能を有効にする設定を行った場合、全ての表示装置１０ａ、１０ｂ、１０ｃ、１０ｄにおいて、エンラージ表示の機能が有効となり、ユーザがエンラージ表示の機能を無効にする設定を行った場合、全ての表示装置１０ａ、１０ｂ、１０ｃ、１０ｄにおいて、エンラージ表示の機能が無効となる。例えば、ユーザは、設定画面において、水平方向に並べられた表示装置１０の台数と、垂直方向に並べられた表示装置１０の台数と、各表示装置１０に表示させる分割画像とを設定する。
【００２７】
なお、信号処理部１１ａは、映像出力装置２００から受信した映像信号Ｄｖに前記エンラージ処理を施した後に、当該映像信号Ｄｖをフレームメモリ１２ａに記憶してもよい。
【００２８】
また例えば、信号処理部１１ａは、生成した画像データＤａについて、表示タイミングを調整するための処理を行う。具体的には、信号処理部１１ａは、画像データＤａを表示部１５ａに出力するタイミング（表示開始タイミング）を遅延させる遅延時間（本発明の第１遅延時間の一例）を設定する処理（遅延時間設定処理）を行う。なお、遅延時間は、表示装置１０ａが映像信号Ｄｖを受信してから分割画像ａの表示を開始するまでの時間である。前記遅延時間設定処理については後述する。
【００２９】
信号処理部１１ａは、前記分割画像データに対して、必要に応じて上述の信号処理（画像反転処理、エンラージ処理など）を施して生成した画像データＤａを、駆動制御部１４ａに送信する。また、信号処理部１１ａは、遅延時間設定処理により設定された遅延時間の設定情報（遅延時間設定情報）を、駆動制御部１４ａに送信する。尚、信号処理部１１ａは、前記設定された遅延時間に基づいて、フレームメモリ１２ａから前記分割画像データを読み出すタイミングを遅延させてもよい。このように、前記設定された遅延時間に基づく遅延処理は、信号処理部１１ａで行ってもよいし、駆動制御部１４ａで行ってもよいし、その他の処理部（図示せず）で行ってもよい。
【００３０】
記憶部１３ａには、各種の設定情報が記憶される。例えば、記憶部１３ａには、表示システム１００の表示面１１０に対する、表示装置１０ａの配置位置（（行、列）＝（１，１））の情報が記憶される。また、記憶部１３ａには、ユーザにより設定される設定情報が記憶される。例えば、記憶部１３ａには、走査方向設定情報、エンラージ設定情報、遅延時間設定情報などが記憶される。また、記憶部１３ａには、各種処理（例えば、遅延時間設定処理）を実行するためのプログラムが記憶される。
【００３１】
駆動制御部１４ａは、表示部１５ａの駆動を制御する。具体的には、駆動制御部１４ａは、複数のゲート信号線ＧＬを、ユーザにより設定された走査方向に走査しながら、信号処理部１１ａから受信する画像データＤａを複数のデータ信号線ＤＬに出力して、表示部１５ａに分割画像ａを表示させる。
【００３２】
表示部１５ａは、例えば液晶パネルによって構成される。表示部１５ａは、駆動制御部１４ａから受信する画像データＤａに応じた分割画像ａを、表示システム１００の表示面１１０の左上の領域（１，１）に表示する。
【００３３】
表示装置１０ｂ（本発明の第１表示装置の一例）は、信号処理部１１ｂ（本発明の第１信号処理部の一例）、フレームメモリ１２ｂ、記憶部１３ｂ、駆動制御部１４ｂ、及び表示部１５ｂ（本発明の第１表示部の一例）を含んでいる。表示装置１０ｂの入力端子Ｔｉｂには、映像出力装置２００から出力され、表示装置１０ａから転送される映像信号Ｄｖが入力される。
【００３４】
表示装置１０ａから表示装置１０ｂに入力された映像信号Ｄｖは、信号処理部１１ｂに入力されるとともに、表示装置１０ｂの出力端子Ｔｏｂに転送される。
【００３５】
信号処理部１１ｂは、映像信号Ｄｖをフレームメモリ１２ｂに記憶する。具体的には、信号処理部１１ｂは、表示装置１０ａから受信する映像信号Ｄｖを順次、フレームメモリ１２ｂに転送する。フレームメモリ１２ｂには、１フレーム分の映像信号Ｄｖ（入力画像データ）が記憶される。
【００３６】
また、信号処理部１１ｂは、前記入力画像データに対して各種の信号処理を実行する。具体的には、信号処理部１１ｂは、フレームメモリ１２ｂの前記入力画像データから、表示装置１０ｂが表示する分割画像ｂに対応するデータ（分割画像データ）を切り取って、当該分割画像データに後述の各信号処理を施して、画像データＤｂを生成する。
【００３７】
例えば、信号処理部１１ｂは、前記分割画像データに対して、表示装置１０ｂが表示する分割画像ｂの上下方向を反転するための処理（画像反転処理）を行う。具体的には、信号処理部１１ｂは、表示装置１０ｂにおけるゲート信号線ＧＬの走査方向（本発明の第１走査方向の一例）を逆方向に設定した場合に、前記画像反転処理を行う。なお、表示装置１０ｂでは、表示装置１０ａの走査方向と同一の走査方向に設定される。
【００３８】
また例えば、信号処理部１１ｂは、ユーザがエンラージ表示の機能を有効にする設定を行った場合に、前記分割画像データに対して、分割画像ｂを拡大表示（エンラージ表示）するための処理（エンラージ処理）を行う。なお、信号処理部１１ｂは、表示装置１０ａから受信する映像信号Ｄｖに前記エンラージ処理を施した後に、当該映像信号Ｄｖをフレームメモリ１２ｂに記憶してもよい。
【００３９】
また例えば、信号処理部１１ｂは、生成した画像データＤｂについて、表示タイミングを調整するための処理を行う。具体的には、信号処理部１１ｂは、画像データＤｂを表示部１５ｂに出力するタイミング（表示開始タイミング）を遅延させる遅延時間（本発明の第１遅延時間の一例）を設定する処理（遅延時間設定処理）を行う。なお、表示装置１０ｂでは、表示装置１０ａと同一の遅延時間が設定される。前記遅延時間設定処理については後述する。
【００４０】
信号処理部１１ｂは、前記分割画像データに対して、必要に応じて上述の信号処理（画像反転処理、エンラージ処理など）を施して生成した画像データＤｂを、駆動制御部１４ｂに送信する。また、信号処理部１１ｂは、遅延時間設定処理により設定された遅延時間の設定情報（遅延時間設定情報）を、駆動制御部１４ｂに送信する。尚、信号処理部１１ｂは、前記設定された遅延時間に基づいて、フレームメモリ１２ｂから前記分割画像データを読み出すタイミングを遅延させてもよい。このように、前記設定された遅延時間に基づく遅延処理は、信号処理部１１ｂで行ってもよいし、駆動制御部１４ｂで行ってもよいし、その他の処理部（図示せず）で行ってもよい。
【００４１】
記憶部１３ｂには、各種の設定情報が記憶される。例えば、記憶部１３ｂには、表示システム１００の表示面１１０に対する、表示装置１０ｂの配置位置（（行、列）＝（１，２））の情報が記憶される。また、記憶部１３ｂには、ユーザにより設定される設定情報が記憶される。例えば、記憶部１３ｂには、走査方向設定情報、エンラージ設定情報、遅延時間設定情報などが記憶される。また、記憶部１３ｂには、各種処理（例えば、遅延時間設定処理）を実行するためのプログラムが記憶される。
【００４２】
駆動制御部１４ｂは、表示部１５ｂの駆動を制御する。具体的には、駆動制御部１４ｂは、複数のゲート信号線ＧＬを、ユーザにより設定された走査方向に走査しながら、信号処理部１１ｂから受信する画像データＤｂを複数のデータ信号線ＤＬに出力して、表示部１５ｂに分割画像ｂを表示させる。
【００４３】
表示部１５ｂは、例えば液晶パネルによって構成される。表示部１５ｂは、駆動制御部１４ｂから受信する画像データＤｂに応じた分割画像ｂを、表示システム１００の表示面１１０の右上の領域（１，２）に表示する。
【００４４】
表示装置１０ｃ（本発明の第２表示装置の一例）は、信号処理部１１ｃ（本発明の第２信号処理部の一例）、フレームメモリ１２ｃ、記憶部１３ｃ、駆動制御部１４ｃ、及び表示部１５ｃ（本発明の第２表示部の一例）を含んでいる。表示装置１０ｃの入力端子Ｔｉｃには、映像出力装置２００から出力され、表示装置１０ｂから転送される映像信号Ｄｖが入力される。
【００４５】
表示装置１０ｂから表示装置１０ｃに入力された映像信号Ｄｖは、信号処理部１１ｃに入力されるとともに、表示装置１０ｃの出力端子Ｔｏｃに転送される。
【００４６】
信号処理部１１ｃは、映像信号Ｄｖをフレームメモリ１２ｃに記憶する。具体的には、信号処理部１１ｃは、表示装置１０ｂから受信する映像信号Ｄｖを順次、フレームメモリ１２ｃに転送する。フレームメモリ１２ｃには、１フレーム分の映像信号Ｄｖ（入力画像データ）が記憶される。
【００４７】
また、信号処理部１１ｃは、前記入力画像データに対して各種の信号処理を実行する。具体的には、信号処理部１１ｃは、フレームメモリ１２ｃの前記入力画像データから、表示装置１０ｃが表示する分割画像ｃに対応するデータ（分割画像データ）を切り取って、当該分割画像データに後述の各信号処理を施して、画像データＤｃを生成する。
【００４８】
例えば、信号処理部１１ｃは、前記分割画像データに対して、表示装置１０ｃが表示する分割画像ｃの上下方向を反転するための処理（画像反転処理）を行う。具体的には、信号処理部１１ｃは、表示装置１０ｃにおけるゲート信号線ＧＬの走査方向（本発明の第２走査方向の一例）を逆方向に設定した場合に、前記画像反転処理を行う。なお、表示装置１０ｃでは、表示装置１０ａ、１０ｂの走査方向とは異なる（反対の）走査方向に設定される。
【００４９】
また例えば、信号処理部１１ｃは、ユーザがエンラージ表示の機能を有効にする設定を行った場合に、前記分割画像データに対して、分割画像ｃを拡大表示（エンラージ表示）するための処理（エンラージ処理）を行う。なお、信号処理部１１ｃは、表示装置１０ｂから受信する映像信号Ｄｖに前記エンラージ処理を施した後に、当該映像信号Ｄｖをフレームメモリ１２ｃに記憶してもよい。
【００５０】
また例えば、信号処理部１１ｃは、生成した画像データＤｃについて、表示タイミングを調整するための処理を行う。具体的には、信号処理部１１ｃは、画像データＤｃを表示部１５ｃに出力するタイミング（表示開始タイミング）を遅延させる遅延時間（本発明の第２遅延時間の一例）を設定する処理（遅延時間設定処理）を行う。前記遅延時間設定処理については後述する。
【００５１】
信号処理部１１ｃは、前記分割画像データに対して、必要に応じて上述の信号処理（画像反転処理、エンラージ処理など）を施して生成した画像データＤｃを、駆動制御部１４ｃに送信する。また、信号処理部１１ｃは、遅延時間設定処理により設定された遅延時間の設定情報（遅延時間設定情報）を、駆動制御部１４ｃに送信する。尚、信号処理部１１ｃは、前記設定された遅延時間に基づいて、フレームメモリ１２ｃから前記分割画像データを読み出すタイミングを遅延させてもよい。このように、前記設定された遅延時間に基づく遅延処理は、信号処理部１１ｃで行ってもよいし、駆動制御部１４ｃで行ってもよいし、その他の処理部（図示せず）で行ってもよい。
【００５２】
記憶部１３ｃには、各種の設定情報が記憶される。例えば、記憶部１３ｃには、表示システム１００の表示面１１０に対する、表示装置１０ｃの配置位置（（行、列）＝（２，２））の情報が記憶される。また、記憶部１３ｃには、ユーザにより設定される設定情報が記憶される。例えば、記憶部１３ｃには、走査方向設定情報、エンラージ設定情報、遅延時間設定情報などが記憶される。また、記憶部１３ｃには、各種処理（例えば、遅延時間設定処理）を実行するためのプログラムが記憶される。
【００５３】
駆動制御部１４ｃは、表示部１５ｃの駆動を制御する。具体的には、駆動制御部１４ｃは、複数のゲート信号線ＧＬを、ユーザにより設定された走査方向に走査しながら、信号処理部１１ｃから受信する画像データＤｃを複数のデータ信号線ＤＬに出力して、表示部１５ｃに分割画像ｃを表示させる。
【００５４】
表示部１５ｃは、例えば液晶パネルによって構成される。表示部１５ｃは、駆動制御部１４ｃから受信する画像データＤｃに応じた分割画像ｃを、表示システム１００の表示面１１０の右下の領域（２，２）に表示する。
【００５５】
表示装置１０ｄ（本発明の第２表示装置の一例）は、信号処理部１１ｄ（本発明の第２信号処理部の一例）、フレームメモリ１２ｄ、記憶部１３ｄ、駆動制御部１４ｄ、及び表示部１５ｄ（本発明の第２表示部の一例）を含んでいる。表示装置１０ｄの入力端子Ｔｉｄには、映像出力装置２００から出力され、表示装置１０ｃから転送される映像信号Ｄｖが入力される。
【００５６】
表示装置１０ｃから表示装置１０ｄに入力された映像信号Ｄｖは、信号処理部１１ｄに入力される。
【００５７】
信号処理部１１ｄは、映像信号Ｄｖをフレームメモリ１２ｄに記憶する。具体的には、信号処理部１１ｄは、表示装置１０ｄから受信する映像信号Ｄｖを順次、フレームメモリ１２ｄに転送する。フレームメモリ１２ｄには、１フレーム分の映像信号Ｄｖ（入力画像データ）が記憶される。
【００５８】
また、信号処理部１１ｄは、前記入力画像データに対して各種の信号処理を実行する。具体的には、信号処理部１１ｄは、フレームメモリ１２ｄの前記入力画像データから、表示装置１０ｄが表示する分割画像ｄに対応するデータ（分割画像データ）を切り取って、当該分割画像データに後述の各信号処理を施して、画像データＤｄを生成する。
【００５９】
例えば、信号処理部１１ｄは、前記分割画像データに対して、表示装置１０ｄが表示する分割画像ｄの上下方向を反転するための処理（画像反転処理）を行う。具体的には、信号処理部１１ｄは、表示装置１０ｄにおけるゲート信号線ＧＬの走査方向（本発明の第２走査方向の一例）を逆方向に設定した場合に、前記画像反転処理を行う。なお、表示装置１０ｄでは、表示装置１０ｃの走査方向と同一の走査方向に設定される。
【００６０】
また例えば、信号処理部１１ｄは、ユーザがエンラージ表示の機能を有効にする設定を行った場合に、前記分割画像データに対して、分割画像ｄを拡大表示（エンラージ表示）するための処理（エンラージ処理）を行う。なお、信号処理部１１ｄは、表示装置１０ｃから受信する映像信号Ｄｖに前記エンラージ処理を施した後に、当該映像信号Ｄｖをフレームメモリ１２ｄに記憶してもよい。
【００６１】
また例えば、信号処理部１１ｄは、生成した画像データＤｄについて、表示タイミングを調整するための処理を行う。具体的には、信号処理部１１ｄは、画像データＤｄを表示部１５ｄに出力するタイミング（表示開始タイミング）を遅延させる遅延時間（本発明の第２遅延時間の一例）を設定する処理（遅延時間設定処理）を行う。なお、表示装置１０ｄでは、表示装置１０ｃと同一の遅延時間が設定される。前記遅延時間設定処理については後述する。
【００６２】
信号処理部１１ｄは、前記分割画像データに対して、必要に応じて上述の信号処理（画像反転処理、エンラージ処理など）を施して生成した画像データＤｄを、駆動制御部１４ｄに送信する。また、信号処理部１１ｄは、遅延時間設定処理により設定された遅延時間の設定情報（遅延時間設定情報）を、駆動制御部１４ｄに送信する。尚、信号処理部１１ｄは、前記設定された遅延時間に基づいて、フレームメモリ１２ｄから前記分割画像データを読み出すタイミングを遅延させてもよい。このように、前記設定された遅延時間に基づく遅延処理は、信号処理部１１ｄで行ってもよいし、駆動制御部１４ｄで行ってもよいし、その他の処理部（図示せず）で行ってもよい。
【００６３】
記憶部１３ｄには、各種の設定情報が記憶される。例えば、記憶部１３ｄには、表示システム１００の表示面１１０に対する、表示装置１０ｄの配置位置（（行、列）＝（２，１））の情報が記憶される。また、記憶部１３ｄには、ユーザにより設定される設定情報が記憶される。例えば、記憶部１３ｄには、走査方向設定情報、エンラージ設定情報、遅延時間設定情報などが記憶される。また、記憶部１３ｄには、各種処理（例えば、遅延時間設定処理）を実行するためのプログラムが記憶される。
【００６４】
駆動制御部１４ｄは、表示部１５ｄの駆動を制御する。具体的には、駆動制御部１４ｄは、複数のゲート信号線ＧＬを、ユーザにより設定された走査方向に走査しながら、信号処理部１１ｄから受信する画像データＤｄを複数のデータ信号線ＤＬに出力して、表示部１５ｄに分割画像ｄを表示させる。
【００６５】
表示部１５ｄは、例えば液晶パネルによって構成される。表示部１５ｄは、駆動制御部１４ｄから受信する画像データＤｄに応じた分割画像ｄを、表示システム１００の表示面１１０の左下の領域（２，１）に表示する。
【００６６】
尚、表示システム１００又は各表示装置１０が、各表示装置１０の配置情報に基づいて、各表示装置１０における走査方向及び遅延時間を設定してもよいし、ユーザが、設定画面において各表示装置１０における走査方向及び遅延時間を設定してもよい。
【００６７】
［遅延時間設定処理］
以下、図５を参照しつつ、表示装置１０ａ、１０ｂ、１０ｃ、１０ｄのそれぞれにおいて実行される遅延時間設定処理の手順の一例について説明する。ここでは、ユーザが、設定画面において、表示装置１０ａ、１０ｂの走査方向を順方向に設定し、表示装置１０ｃ、１０ｄの走査方向を逆方向に設定し、エンラージ表示の機能を有効にする設定を行ったものとする。なお、図５に示す「Ｓ」は、処理手順のステップ番号を示す。
【００６８】
先ず、表示装置１０ａは、エンラージ機能が有効に設定されているか否かを判定する（Ｓ１０１）。エンラージ機能が無効に設定されている場合（Ｓ１０１：ＮＯ）、処理はＳ１０３に移行する。ここでは、エンラージ機能が有効に設定されているため（Ｓ１０１：ＹＥＳ）、処理はＳ１０２に移行する。
【００６９】
Ｓ１０２において、例えば信号処理部１１ａは、｛（Ｍ−Ｎ）／Ｍ｝フレーム分の遅延時間を設定する。
【００７０】
ここで、前記式の「Ｍ」は、表示システム１００において、第１方向（ここでは、列方向）に並んで配置された複数の表示装置１０の台数（行数）を表す。ここでは、第１方向に２台の表示装置１０ａ、１０ｄが並んで配置されているため、前記「Ｍ」＝２となる。また、前記「Ｎ」は、表示システム１００において、遅延時間を設定する対象となる表示装置１０の配置位置（行番号）を表す。ここでは、遅延時間を設定する対象となる表示装置１０ａが第１行（第１番目）に配置されているため、前記「Ｎ」＝１となる。
【００７１】
これにより、Ｓ１０２において、信号処理部１１ａは、１／２フレーム分の遅延時間を設定する。
【００７２】
次に、表示装置１０ａは、走査方向が逆方向か否かを判定する（Ｓ１０３）。走査方向が逆方向の場合（Ｓ１０３：ＹＥＳ）、処理はＳ１０４に移行し、走査方向が順方向の場合（Ｓ１０３：ＮＯ）、処理はＳ１０５に移行する。
【００７３】
表示装置１０ａでは、走査方向が順方向に設定されているため（Ｓ１０３：ＮＯ）、Ｓ１０５に移行し、信号処理部１１ａは、１／２フレーム分の遅延時間に加えて、さらに、１フレーム分の遅延時間を設定する。よって、表示装置１０ａでは、信号処理部１１ａは、合計１．５フレーム分の遅延時間（本発明の第１遅延時間の一例）を設定する。これにより、表示装置１０ａは、表示装置１０ａが映像信号Ｄｖを受信してから１．５フレーム後に、画像データＤａに応じた分割画像ａの表示を開始する。
【００７４】
表示装置１０ｂでは、表示装置１０ａと同様の処理が行われる。これにより、表示装置１０ｂは、映像信号Ｄｖが表示装置１０ｂに入力されてから１．５フレーム後に、画像データＤｂに応じた分割画像ｂの表示を開始する。
【００７５】
表示装置１０ｃでは、エンラージ機能が有効に設定されているため（Ｓ１０１：ＹＥＳ）、信号処理部１１ｃは、｛（Ｍ−Ｎ）／Ｍ｝フレーム分の遅延時間を設定する（Ｓ１０２）。ここでは、表示装置１０ｃは、第２行（第２番目）に配置されているため、前記「Ｎ」＝２となる。このため、Ｓ１０２において、信号処理部１１ｃは、遅延時間を「０」に設定する。
【００７６】
次に、表示装置１０ｃでは、走査方向が逆方向に設定されているため（Ｓ１０３：ＹＥＳ）、信号処理部１１ｃは、画像反転処理を行う。具体的には、信号処理部１１ｃは、フレームメモリ１２ｃから分割画像ｃに対応する分割画像データを読み出す際の読み出し方向を逆転させる。よって、表示装置１０ｃでは、信号処理部１１ｃは、遅延時間を「０」に設定する。これにより、表示装置１０ｃは、１フレーム分の映像信号Ｄｖが表示装置１０ｃに入力された後、遅延処理を行うことなく、前記画像反転処理を行って、画像データＤｃに応じた分割画像ｃの表示を開始する。
【００７７】
表示装置１０ｄでは、表示装置１０ｃと同様の処理が行われる。これにより、表示装置１０ｄは、映像信号Ｄｖが表示装置１０ｄに入力された後、遅延処理を行うことなく、前記画像反転処理を行って、画像データＤｄに応じた分割画像ｄの表示を開始する。このように、信号処理部１１ａ、１１ｂは、表示装置１０ａ、１０ｂが分割画像ａ、ｂを表示するタイミングが、表示装置１０ｃ、１０ｄが分割画像ｃ、ｄを表示するタイミングに合うように、遅延時間を設定する。
【００７８】
［表示処理］
以下、図６及び図７を参照しつつ、前記遅延時間設定処理により設定される前記遅延時間に基づいて実行される表示処理により表示システム１００の表示面１１０に表示される画像の一例について説明する。ここでは、映像信号Ｄｖに応じた画像が、図６に示すように、列方向に延在する縦線が右方向に移動する画像であるものとする。図７では、便宜上、（行，列）＝（１，１）に配置される表示装置１０ａに表示される画像と、（行，列）＝（２，１）に配置される表示装置１０ｃに表示される画像とを示す。
【００７９】
図７（ａ）は、比較例に係る表示システムにおいて表示される画像を示し、図７（ｂ）及び図７（ｃ）は、本発明の実施形態に係る表示システム１００において表示される画像を示す。また、図７（ａ）は、第１行及び第２行の表示装置１０ａ、１０ｂ、１０ｃ、１０ｄの走査方向が順方向に設定された場合を示す。また、図７（ｂ）は、第１行の表示装置１０ａ、１０ｂの走査方向が順方向に設定され、第２行の表示装置１０ｃ、１０ｄの走査方向が逆方向に設定された場合を示し、図７（ｃ）は、第１行の表示装置１０ａ、１０ｂの走査方向が逆方向に設定され、第２行の表示装置１０ｃ、１０ｄの走査方向が順方向に設定された場合を示す。
【００８０】
初めに、図７（ａ）を参照しつつ、比較例に係る表示システムにおいて表示される画像について説明する。
【００８１】
第１フレームが開始すると、表示装置１０ａ、１０ｄは映像信号Ｄｖの受信を開始し、表示装置１０ａは第１フレームの画像（図６参照）の分割画像ａの表示を開始する。表示装置１０ｄは、１／２フレームが経過すると、前記映像信号Ｄｖのうち表示装置１０ｄが表示する第１フレームの分割画像ｄに対応する映像信号Ｄｖの受信を開始し、当該分割画像ｄの表示を開始する。
【００８２】
第２フレームが開始すると、表示装置１０ａは第２フレームの画像（図６参照）の分割画像ａの表示を開始する。表示装置１０ｄは、１／２フレームが経過すると、記映像信号Ｄｖのうち表示装置１０ｄが表示する第２フレームの分割画像ｄに対応する映像信号Ｄｖの受信を開始し、当該分割画像ｄの表示を開始する。
【００８３】
このようにして表示処理が行われることにより、比較例に係る表示システムでは、第１方向（ここでは、列方向）に配置された表示装置１０ａ、１０ｄで表示される各画像（分割画像ａ、ｃ）間のズレ（画像ズレ）が生じる。
【００８４】
次に、図７（ｂ）を参照しつつ、本発明の実施形態に係る表示システム１００において表示される画像について説明する。なお、図７（ｂ）及び図７（ｃ）では、画像反転処理に対応する処理時間及び遅延時間を省略している。また、表示システム１００の表示処理は、本発明に係る表示方法に含まれる。また本発明に係る表示方法は、走査方向を設定するステップと分割画像を生成するステップと遅延時間を設定するステップとを含む信号処理ステップ（本発明に係る第１信号処理ステップ、第２信号処理ステップに対応）と、生成された分割画像を表示する表示ステップ（本発明に係る第１表示ステップ、第２表示ステップに対応）とを含む。
【００８５】
第１フレームが開始すると、表示装置１０ａ、１０ｄは映像信号Ｄｖの受信を開始し、表示装置１０ａは、前記遅延時間設定処理（図５のＳ１０２参照）において設定される遅延時間（ここでは、１／２フレーム分）が経過した後に、第１フレームの画像（図６参照）の分割画像ａの表示を開始する。表示装置１０ｄは、映像信号Ｄｖの受信を開始してから１／２フレームが経過すると、映像信号Ｄｖのうち表示装置１０ｄが表示する第１フレームの分割画像ｄに対応する映像信号Ｄｖの受信を開始し、当該分割画像ｄの表示を開始する。
【００８６】
表示装置１０ａ、１０ｄの走査方向が、図７（ｃ）に示す走査方向に設定された場合も、図７（ｂ）に示す表示処理と同様である。第１フレームが開始すると、表示装置１０ａ、１０ｄは映像信号Ｄｖの受信を開始し、表示装置１０ａは、前記遅延時間設定処理（図５のＳ１０２参照）において設定される遅延時間（１／２フレーム分）が経過した後に、第１フレームの画像（図６参照）の分割画像ａの表示を開始する。表示装置１０ｄは、映像信号Ｄｖの受信を開始してから１／２フレームが経過すると、映像信号Ｄｖのうち表示装置１０ｄが表示する第１フレームの分割画像ｄに対応する映像信号Ｄｖの受信を開始し、当該分割画像ｄの表示を開始する。
【００８７】
図８は、表示システム１００の表示面１１０に画像が表示されるまでの処理の流れを模式的に示す図である。ここでは、第１方向（列方向）に表示装置１０ａ、１０ｂ、１０ｃが３台配置されている場合を例に挙げる。表示装置１０ａは、映像信号Ｄｖに対応する第１フレームＦ１の画像のうち上段の分割画像ａを表示し、表示装置１０ｂは、前記画像のうち中段の分割画像ｂを表示し、表示装置１０ｃは、前記画像のうち下段の分割画像ｃを表示する。表示装置１０ａ、１０ｂ、１０ｃは、分割画像ａ、ｂ、ｃを表示装置１０ａ、１０ｂ、１０ｃに応じた大きさに拡大するエンラージ処理を実行する。また、ここでは表示装置１０ａ、１０ｃの走査方向が逆方向に設定されているため、表示装置１０ａ、１０ｃは画像反転処理を実行する。
【００８８】
また図８に示す例では、表示装置１０ａは、｛（３−１）／３｝＝２／３フレーム分の遅延時間を設定し、表示装置１０ｂは、｛（２−１）／３｝＝１／３フレームと、画像反転処理に伴う１フレームとを合計した（１＋１／３）フレーム分の遅延時間を設定し、表示装置１０ｃは、遅延時間を「０」に設定する。表示装置１０ａ、１０ｂ、１０ｃは、それぞれ、前記遅延時間に応じたタイミングで分割画像ａ、ｂ、ｃの表示を開始する。
【００８９】
本発明の実施形態に係る表示システム１００によれば、第１方向（ここでは、列方向）に配置された表示装置１０ａ、１０ｄで表示される各画像（分割画像ａ、ｃ）間のズレ（画像ズレ）を解消することができる。また、映像出力装置２００は、各表示装置１０に応じた画像（分割画像）を生成することなく、１フレームの画像に対応する映像信号Ｄｖを出力する構成であるため、フレームメモリの使用量が増大することがない。よって、フレームメモリの使用量を抑えつつ、簡易な回路構成により各表示装置間の画像ズレを防ぐことができる。なお、表示システム１００は、画像反転処理を行う場合、走査方向が順方向に設定される表示装置１０の画像の表示開始タイミングを、１フレーム分遅延させる（図５のＳ１０５参照）。
【００９０】
図９は、表示装置１０ａ、１０ｂ、１０ｃ、１０ｄのそれぞれにおける表示タイミングを示すタイミングチャートである。上記の例では、図９に示すように、表示装置１０ａ、１０ｂは、それぞれ、映像信号Ｄｖを受信してから１．５フレーム後に、画像データＤａに応じた分割画像ａ、ｂの表示を開始する。また、表示装置１０ｃ、１０ｄは、それぞれ、映像信号Ｄｖの受信を開始してから１／２フレームが経過すると、映像信号Ｄｖのうち表示装置１０ｃ、１０ｄが表示する第１フレームの分割画像ｃ、ｄに対応する映像信号Ｄｖの受信を開始し、その後、画像反転処理を行った後に、当該分割画像ｃ、ｄの表示を開始する。
【００９１】
上述のように、遅延時間設定処理では、表示装置１０が第１方向に配置される数（行数）と、遅延時間を設定する対象となる表示装置１０の配置位置（行番号）とに基づいて、遅延時間が設定される。例えば、第１方向に表示装置１０が３台配置されている場合、第１行の表示装置１０では、｛（３−１）／３｝＝２／３フレーム分の遅延時間が設定される。また、第２行の表示装置１０では、｛（２−１）／３｝＝１／３フレーム分の遅延時間が設定される。同様に、例えば、第１方向に表示装置１０が４台配置されている場合、第１行の表示装置１０では、｛（４−１）／４｝＝３／４フレーム分の遅延時間が設定され、第２行の表示装置１０では、｛（４−２）／４｝＝２／４フレーム分の遅延時間が設定され、第３行の表示装置１０では、｛（４−３）／４｝＝１／４フレーム分の遅延時間が設定される。
【００９２】
本発明に係る表示システム１００は、上述の構成に限定されない。例えば、表示システム１００は、エンラージ処理（画像拡大処理）が省略され、各表示装置１０が画像の一部（分割画像）を拡大せず等倍で表示してもよい。この構成では、図５に示すステップＳ１０１において、映像出力装置２００から入力される映像信号Ｄｖが分割画像であるか否かを判定し、分割画像でない場合（すなわち、フレーム画像である場合）に、ステップＳ１０２において遅延時間を設定する処理を行えばよい。
【００９３】
また、上述の表示システム１００では、複数の表示装置１０がデイジーチェーン接続され、映像出力装置２００から出力された映像信号Ｄｖが、表示装置１０ａに入力される構成であるが、表示システム１００はこれに限定されない。例えば、複数の表示装置１０のそれぞれが映像出力装置２００に接続され、映像出力装置２００から出力された映像信号Ｄｖが、各表示装置１０に入力される構成であってもよい。
【００９４】
また、表示システム１００では、各表示装置１０において、ゲート信号線ＧＬが列方向に延在するように配置され、データ信号線ＤＬが行方向に延在するように配置されてもよい。
【００９５】
上述の表示システム１００では、各表示装置１０において、データ信号線ＤＬが列方向（縦）に延在するように配置され、ゲート信号線ＧＬが行方向（横）に延在するように配置された、いわゆる横置き型で構成されている。他の実施形態として、表示システム１００では、各表示装置１０において、データ信号線ＤＬが行方向（横）に延在するように配置され、ゲート信号線ＧＬが列方向（縦）に延在するように配置された、いわゆる縦置き型で構成されてもよい。縦置き型の構成では、例えば、表示装置１０ｄ（本発明の第２表示装置の一例）が表示装置１０ａ（本発明の第１表示装置の一例）の右隣に配置される場合において、表示装置１０ａにおけるゲート信号線ＧＬの走査方向（本発明の第１走査方向の一例）が右から左に向かう方向に設定され、表示装置１０ｄにおけるゲート信号線ＧＬの走査方向（本発明の第２走査方向の一例）が左から右に向かう方向に設定される場合に（図１０参照）、信号処理部１１ａは、分割画像ａの左右方向を反転する画像反転処理を行う。一方、表示装置１０ａにおけるゲート信号線ＧＬの走査方向が左から右に向かう方向に設定され、表示装置１０ｄにおけるゲート信号線ＧＬの走査方向が右から左に向かう方向に設定される場合に（図１１参照）、信号処理部１１ｄは、分割画像ｄの左右方向を反転させる画像反転処理を行う。
【符号の説明】
【００９６】
１０            ：表示装置
１０ａ〜１０ｄ  ：表示装置
１１ａ〜１１ｄ  ：信号処理部
１２ａ〜１２ｄ  ：フレームメモリ
１３ａ〜１３ｄ  ：記憶部
１４ａ〜１４ｄ  ：駆動制御部
１５ａ〜１５ｄ  ：表示部
１００          ：表示システム
１１０          ：表示面
２００          ：映像出力装置
Ｄａ〜Ｄｄ      ：画像データ
Ｄｖ            ：映像信号
ａ〜ｄ          ：分割画像
【図１】
2019211632.tif 000003
【図２】
2019211632.tif 000004
【図３】
2019211632.tif 000005
【図４】
2019211632.tif 000006
【図５】
2019211632.tif 000007
【図６】
2019211632.tif 000008
【図７】
2019211632.tif 000009
【図８】
2019211632.tif 000010
【図９】
2019211632.tif 000011
【図１０】
2019211632.tif 000012
【図１１】
2019211632.tif 000013